(57)【要約】【課題】本発明はストレートタイプの平衡伝送用ジャックコネクタに係り、これが実装されるプリント回路基板の信号用配線パターンの形成を容易にすることを課題とする。【解決手段】略直方体形状の絶縁材料製のハウジング５１に、第１、第２の信号コンタクト部材７１，７２よりなる信号コンタクト対７０−１と、グランドコンタクト部材８０−１とが交互に配されて並んでおり、底面５３側に第１、第２の信号コンタクト部材の信号端子部７２−１ｂ，７１−１ｂ及びグランドコンタクト部材のグランド端子部８４−１を有し、上面側にコネクタ接続口５８を有する。全部の信号コンタクト対を構成する第１、第２の信号コンタクト部材の信号端子部７２−１ｂ，７１−１ｂは、屈曲されて同じ長さとなっており、ハウジングの一つの長手方向の面５２に向かって同じ方向に引き出されている。【選択図】          図３
2004355820.tif 000002
【特許請求の範囲】
【請求項１】
絶縁材料製のハウジングに、第１、第２の信号コンタクト部材よりなる信号コンタクト対と、グランドコンタクト部材とが交互に配されて並んでおり、底面側に第１、第２の信号コンタクト部材の信号端子部及びグランドコンタクト部材のグランド端子部を有し、上面側にコネクタ接続口を有する構成の平衡伝送用コネクタであって、
上記信号コンタクト対を構成する第１、第２の信号コンタクト部材の信号端子部が同じ方向に延在する構成としたことを特徴とする平衡伝送用コネクタ。
【請求項２】
絶縁材料製のハウジングに、第１、第２の信号コンタクト部材よりなる信号コンタクト対と、グランドコンタクト部材とが交互に配されて並んでおり、底面側に第１、第２の信号コンタクト部材の信号端子部及びグランドコンタクト部材のグランド端子部を有し、上面側にコネクタ接続口を有する構成の平衡伝送用コネクタであって、
一つの上記信号コンタクト対を構成する第１、第２の信号コンタクト部材の信号端子部が同じ方向に延在し、別の上記信号コンタクト対を構成する第１、第２の信号コンタクト部材の信号端子部が上記信号端子部が延在する方向とは反対の方向に延在する構成としたことを特徴とする平衡伝送用コネクタ。
【請求項３】
請求項１又は請求項２に記載の平衡伝送用コネクタにおいて、
上記第１の信号コンタクト部材の信号端子部と第２の信号コンタクト部材の信号端子部とは、同じ長さをなるように屈曲されている部分を有する構成としたことを特徴とする平衡伝送用コネクタ。
【請求項４】
請求項１又は請求項２に記載の平衡伝送用コネクタにおいて、
上記グランドコンタクト部材は、互いに反対方向に延在する二つのグランド端子部を有する構成としたことを特徴とする平衡伝送用コネクタ。
【発明の詳細な説明】
【０００１】
【発明の属する技術分野】
本発明は平衡伝送用コネクタ係り、特にコネクタ接続口がプリント回路基板と平行の向きとされてプリント回路基板上に垂直の向きで実装される所謂ストレートタイプの平衡伝送用コネクタであって、データを平衡伝送する部分に適用される平衡伝送用コネクタに関する。
【０００２】
パーソナルコンピュータと周辺機器との間でデータを伝送する方式として、平衡伝送方式が多く採用されつつある。平衡伝送方式は、データごとに対をなす二本の電線を使用して、伝送すべき＋信号とこの＋信号とは大きさが等しく逆向きの−信号とを同時に伝送する方式であり、通常の伝送方式に比べてノイズの影響を受けにくいという利点を有している。
【０００３】
平衡伝送方式が正常に動作するためには、対をなす＋信号が伝送されるラインと−信号が伝送されるラインとが平行であること及び同じ長さであること、及び隣り合う対のライン間がグランド電位とされてシールドされていることが必要である。
【０００４】
【従来の技術】
本出願人は、先に、特開２００１−０４３９３３号（特願２０００−２１５０８９号）において、コネクタ接続口がプリント回路基板に対して垂直に配されてプリント回路基板上に実装されるライトアングルタイプの平衡伝送用ジャックコネクタを出願している。
【０００５】
接続態様が多様化しており、コネクタ接続口がプリント回路基板と平行の向きとされたストレートタイプの平衡伝送用コネクタが要求されている。
【０００６】
図１はライトアングルタイプの平衡伝送用ジャックコネクタを単純にストレートタイプに変更した例を示す。Ｘ１−Ｘ２は長辺が延在する方向、Ｙ１−Ｙ２は短辺が延在する方向、Ｚ１−Ｚ２は高さ方向である。
【０００７】
図１（Ａ）はライトアングルタイプの平衡伝送用ジャックコネクタ１であり、２，３は対をなす信号コンタクト部材、４はグランドコンタクト部材、５はハウジングである。２ａ，３ａは信号コンタクト部、２ｂ，３ｂは信号端子部、４ａはグランドコンタクト部、４ｂはグランド端子部である。５ａはコネクタ接続口でありＹ２側を向いている。このコネクタ１の信号コンタクト部２ａ，３ａを両側に延在するようにすると、図１（Ｂ）に示すようにストレートタイプの平衡伝送用コネクタ１０となる。コネクタ１０は、信号コンタクト部材２Ａ，３Ａと、グランドコンタクト部材４Ａと、ハウジング５Ａとを有する。２Ａａ，３Ａａは信号コンタクト部、２Ａｂ，３Ａｂは信号端子部、４Ａａはグランド端子部、４Ａｂ，４Ａｃはグランド端子部である。信号端子部２Ａｂは信号コンタクト部２ＡａよりＹ１方向に延在しており、信号端子部３Ａｂは信号コンタクト部３ＡａよりＹ２方向に延在している。即ち、信号端子部２Ａｂ、３Ａｂは互いに反対方向に延在している。５ａはコネクタ接続口でありＺ１側を向いている。
【０００８】
図１（Ｃ）は、プリント回路基板２０のうちのこのストレートタイプの平衡伝送用コネクタ１０が実装される部分のパターンを示す。２１は第１の信号パッド、２２は第２の信号パッド、２３はグランドパッドである。３１は第１の信号用配線パターン、３２は第２の信号用配線パターンである。信号用配線パターン３１，３２は＋信号と−信号とのカップリングが成立するように平行とされて、第１の信号パッド２１と第２の信号パッド２２との間の帯状の部分３３を延在している。
【０００９】
【特許文献】
特開２００１−０４３９３３号公報
【００１０】
【発明が解決しようとする課題】
帯状の部分３３は幅Ｗ１が狭く、よって、この部分に多数本の信号用配線パターン３１，３２を形成することが難しくなってしまう。
【００１１】
そこで、本発明は上記課題を解決した平衡伝送用コネクタを提供することを目的とする。
【００１２】
【課題を解決するための手段】
請求項１の発明は、絶縁材料製のハウジングに、第１、第２の信号コンタクト部材よりなる信号コンタクト対と、グランドコンタクト部材とが交互に配されて並んでおり、底面側に第１、第２の信号コンタクト部材の信号端子部及びグランドコンタクト部材のグランド端子部を有し、上面側にコネクタ接続口を有する構成の平衡伝送用コネクタであって、
上記信号コンタクト対を構成する第１、第２の信号コンタクト部材の信号端子部が同じ方向に延在する構成としたものである。
【００１３】
信号コンタクト対を構成する第１、第２の信号コンタクト部材の信号端子部が同じ方向に延在しているため、プリント回路基板のうちの平衡伝送用コネクタが実装される多数のパッドが並んでいる部分についてみると、第１の信号コンタクト部材の信号端子部と第２の信号コンタクト部材の信号端子部とが半田付けされる二つのパッドは一の列に隣り合う配置となり、この二つのパッドから延びる信号用配線パターンは多数のパッドが並んで形成してある部分の外側の広い領域を利用して余裕をもって形成することが可能となる。
【００１４】
請求項２の発明は、絶縁材料製のハウジングに、第１、第２の信号コンタクト部材よりなる信号コンタクト対と、グランドコンタクト部材とが交互に配されて並んでおり、底面側に第１、第２の信号コンタクト部材の信号端子部及びグランドコンタクト部材のグランド端子部を有し、上面側にコネクタ接続口を有する構成の平衡伝送用コネクタであって、
一つの上記信号コンタクト対を構成する第１、第２の信号コンタクト部材の信号端子部が同じ方向に延在し、別の上記信号コンタクト対を構成する第１、第２の信号コンタクト部材の信号端子部が上記信号端子部が延在する方向とは反対の方向に延在する構成としたものである。
【００１５】
一つの上記信号コンタクト対を構成する第１、第２の信号コンタクト部材の信号端子部が同じ方向に延在し、別の上記信号コンタクト対を構成する第１、第２の信号コンタクト部材の信号端子部が上記信号端子部が延在する方向とは反対の方向に延在するため、プリント回路基板のうちの平衡伝送用コネクタが実装される多数のパッドが並んでいる部分についてみると、一つの上記信号コンタクト対を構成する第１の信号コンタクト部材の信号端子部と第２の信号コンタクト部材の信号端子部とが半田付けされる二つのパッドは一つの列に隣り合う配置となり、この二つのパッドから延びる信号用配線パターンは一つの列の外側の広い領域を利用して余裕をもって形成することが可能となり、別の上記信号コンタクト対を構成する第１の信号コンタクト部材の信号端子部と第２の信号コンタクト部材の信号端子部とが半田付けされる二つのパッドは別の列に隣り合う配置となり、この二つのパッドから延びる信号用配線パターンは別の列の外側の広い領域を利用して余裕をもって形成することが可能となり、信号用配線パターンを一つの列より外側の領域と別の列より外側の領域とに分散して形成することが可能となる。
【００１６】
請求項３の発明は、請求項１又は請求項２に記載の平衡伝送用コネクタにおいて、
上記第１の信号コンタクト部材の信号端子部と第２の信号コンタクト部材の信号端子部とは、同じ長さをなるように屈曲されている部分を有する構成としたものである。
【００１７】
第１の信号コンタクト部材の端子部と第２の信号コンタクト部材の端子部とが同じ長さを有するため、第１の信号コンタクト部材の端子部と第２の信号コンタクト部材の端子部との部分についても理想的な平衡伝送を維持することが出来る。
【００１８】
請求項４の発明は、請求項１又は請求項２に記載の平衡伝送用コネクタにおいて、
上記グランドコンタクト部材は、互いに反対方向に延在する二つのグランド端子部を有する構成としたものである。
【００１９】
グランドコンタクト部材は二つのグランド端子部を有し、二つのグランド端子部が互いに反対方向に延在するため、グランドコンタクト部材はその両側でグランドパッドと電気的に接続され、グランドコンタクト部材のグランド強化が図られる。
【００２０】
【発明の実施の形態】
図２及び図３は本発明の第１実施例になるストレートタイプの平衡伝送用ジャックコネクタ５０を示す。Ｘ１−Ｘ２は長辺の延在する方向、Ｙ１−Ｙ２は短辺の延在する方向、Ｚ１−Ｚ２は高さ方向である。図３は図２の平衡伝送用ジャックコネクタ５０をそのＹ１−Ｙ２方向に延在する中心軸に関して半回転させた状態の姿勢である。平衡伝送用ジャックコネクタ５０は、ハウジング５１内に、図４（Ａ），（Ｂ）に示す信号コンタクト対７０−１、７０−２と図５に示すグランドコンタクト部材８０−１、８０−２とが図６に示すように交互に並んでいる構成である。
【００２１】
ハウジング５１は、絶縁材料製であり、Ｘ１−Ｘ２方向に長い略直方体形状であり、対向する長辺方向面５２，５３と対向する短辺方向面５４，５５とを有しており、Ｚ２側が底面５６であり、Ｚ２側が上面５７である。上面５７には、中央にプラグコネクタが接続されるコネクタ接続口５８が形成してあり、Ｘ１−Ｘ２方向の両側にプラグコネクタが係止されるラッチ部５９，６０が設けてある。底面５６には、図３に示すように、スタンドオフ部６１と実装位置決め柱部６２，６３とが形成してある。
【００２２】
信号コンタクト対７０は、第１の信号コンタクト部材７１と第２の信号コンタクト部材７１とよりなる。
【００２３】
第１の信号コンタクト部材７１は、略Ｌ字形状であり、Ｐ１−Ｐ２の間の信号コンタクト部７１ａと、Ｐ２−Ｐ３−Ｐ４の間の信号端子部７１ｂとよりなる。第２の信号コンタクト部材７２は、略Ｌ字形状であり、Ｑ１−Ｑ２の間の信号コンタクト部７２ａとＱ２−Ｑ３−Ｑ４の間の信号端子部７２ｂとよりなる。信号コンタクト部７１ａと信号コンタクト部７２ａとは同じＹ−Ｚ面７３内にＹ１−Ｙ２方向に対向して配列してあり、Ｚ１−Ｚ２方向に延在している。信号コンタクト部７１ａ、７２ａは、Ｚ２側に板状の基部７１ａ１、７２ａ１を有する。信号端子部７１ｂと信号端子部７２ｂは、対向してＹ１−Ｙ２方向に延在している。信号端子部７１ｂはその根元側の部分７１ｃによって上記のＹ−Ｚ面７３に対してＸ１方向に、信号端子部７２ｂはその根元側の部分７２ｃによってＹ−Ｚ面７３に対してＸ２方向に同じ寸法Ｌｘ１０ずれており、信号端子部７１ｂと信号端子部７２ｂとは寸法Ｌｘ１１離れている。信号端子部７１ｂのうち根元側部分７１ｃ寄りの部分には、階段の形状とされた階段形状部７１ｄを有する。信号端子部７２ｂのうち根元側部分７２ｃ寄りの部分には、アーチ状とされたアーチ形状部７２ｄを有する。
【００２４】
信号端子部７２ｂはアーチ形状部７２ｄによって長さをかせいでおり、第１の信号コンタクト部材７１の信号コンタクト部７１ａの先端Ｐ１と信号端子部７１ｂの先端Ｐ４との間の第１の信号コンタクト部材７１に沿う伝送路長さＬ１と、第２の信号コンタクト部材７２の信号コンタクト部７２ａの先端Ｑ１と信号端子部７２ｂの先端Ｑ４との間の第２の信号コンタクト部材７２に沿う伝送路長さＬ２とは等しくしてある。
【００２５】
また、信号端子部７１ｂと信号端子部７２ｂとのうち対向して平行に延在している部分は、Ｐ４から階段形状部７１ｄの位置Ｐ３までの部分及びＱ４からアーチ形状部７２ｄの途中の位置Ｑ３までの部分である。即ち、信号端子部７１ｂと信号端子部７２ｂのうち先端から出来るだけ信号コンタクト部７１ａ、７２ａに近い位置までの部分が対向して平行に延在している。
【００２６】
グランドコンタクト部材８０は、図５に示すように、板状の基部８１と、基部８１のＺ１側よりＺ１方向にフォーク形状に延在しているグランドコンタクト部８２、８３と、基部８１のＺ１側よりＹ２方向とＹ１方向とに延在しているグランド端子部８４，８５とを有する。
【００２７】
信号コンタクト対７０とグランドコンタクト部材８０とは、図６に示すように、第１番目のグランドコンタクト部材８０−１、第１番目の信号コンタクト対７０−１、第２番目のグランドコンタクト部材８０−２、第２番目の信号コンタクト対７０−２のように、Ｘ１−Ｘ２方向上、交互に並んでいる。
【００２８】
図３及び図６に示すように、各信号コンタクト対７０の信号端子部７１ｂ、７２ｂは、ハウジング５１の底面５６に沿ってＹ２方向に延在しており、グランドコンタクト部材８０のグランド端子部８４は同じくハウジング５１の底面５６に沿ってＹ２方向に延在しており、グランド端子部８５は同じくハウジング５１の底面５６に沿ってＹ１方向に延在している。図２及び図３に示すように、信号端子部７１ｂ、７２ｂの先端部及びグランド端子部８４の先端部はハウジング５１の長手の面５２よりＹ２方向に突き出ており、等間隔のピッチｐ１で並んでいる。グランド端子部８５の先端部はハウジング５１の長手の面５３よりＹ２方向に突き出ており、等間隔のピッチｐ２で並んでいる。ピッチｐ２は、上記のピッチｐ１の３倍である。
【００２９】
第１番目の信号コンタクト対７０−１はＸ１−Ｘ２方向の両側から第１番目のグランドコンタクト部材８０−１と第２番目のグランドコンタクト部材８０−２とによって挟まれてシールドされている。第２番目の信号コンタクト対７０−２も同様である。信号コンタクト部材７１，７２の板状の基部７１ａ１、７２ａ１がグランドコンタクト部材８０の板状の基部８１に対向している。
【００３０】
図７はプリント回路基板９０のうち上記の平衡伝送用ジャックコネクタ５０が実装される部分のパターンを示す。パッドは平衡伝送用コネクタ５０の信号端子部７１ｂ、７２ｂ及びグランド端子部８４、８５の配置に合わせて形成してある。第１の行９１には、グランドパッド１００、第１の信号パッド１０１、第２の信号パッド１０２、グランドパッド１０３、第１の信号パッド１０４、第２の信号パッド１０５、グランドパッド１０６、第１の信号パッド１０７、第２の信号パッド１０８、グランドパッド１０９がピッチｐ１で並んでいる。第２の行９２には、グランドパッド１２０、１２３、１２６、１２９がピッチｐ２で並んでいる。
【００３１】
１４１、１４２，１５１、１５２，１６１、１６２は信号用配線パターンである。第１の信号パッド１０１、１０４、１０７と第２の信号パッド１０２、１０５、１０８は同じ行である第１の行９１に隣り合って配置してあるので、信号用配線パターン１４１、１４２，１５１、１５２，１６１、１６２は第１の行９１よりＹ２側の広い部分１１５を利用して形成してある。第１の行９１と第２の行９２との間の狭い帯状の部分１１７は信号用配線パターンの配線に利用する必要はない。信号用配線パターン１４１，１４２は＋信号と−信号とのカップリングが成立するように平行に、信号用配線パターン１５１，１５２は＋信号と−信号とのカップリングが成立するように平行に、信号用配線パターン１６１，１６２は＋信号と−信号とのカップリングが成立するように平行に延在している。第１の行９１よりＹ２側の広い部分が利用されるため、信号用配線パターン１４１〜１６２の形成は容易である。
【００３２】
平衡伝送用ジャックコネクタ５０は、Ｙ２側については、グランド端子部８４−１、信号端子部７２−１ｂ、７１−１ｂ、グランド端子部８４−２等を対応するパッド１００．１０１、１０２，１０３等に半田付けされて、且つ、Ｙ１側については、グランド端子部８５−１、８５−２等を対応するパッド１２０．１２３等に半田付けされて、図７中二点鎖線で示すようにプリント回路基板９０上に垂直に立った姿勢で実装される。
【００３３】
ここで、グランドコンタクト部材８０についてみるに、Ｙ２方向に延在しているグランド端子部８４とＹ１方向に延在しているグランド端子部８５とが夫々グランドパッド１００、１１０に半田付けしてある。グランド端子部８５を有しない構造である場合には、板状の基部８１のうちグランド端子部８４から遠い部分Ａはグランドとしての機能が不十分となってノイズを拾い易くなるという問題が起きる虞がある。しかし、本実施例では、グランド端子部８４、８５がＹ２、Ｙ１方向に延在しているため、板状の基部８１全体がグランドとしての機能し、ノイズに関して改善されている。
【００３４】
図８及び図９は本発明の第２実施例になるストレートタイプの平衡伝送用ジャックコネクタ５０Ａを示す。図９は図８の平衡伝送用ジャックコネクタ５０ＡをそのＹ１−Ｙ２方向に延在する中心軸に関して半回転させた状態の姿勢である。ハウジング５１Ａ内には、図１０に示すように、第１番目のグランドコンタクト部材８０−１、第１番目の信号コンタクト対７０−１、第２番目のグランドコンタクト部材８０−２、第２番目の信号コンタクト対７０Ａ−２、第３番目のグランドコンタクト部材８０−３、第３番目の信号コンタクト対７０−３、第４番目のグランドコンタクト部材８０−４、第４番目の信号コンタクト対７０Ａ−４、第５番目のグランドコンタクト部材８０−５がＸ１−Ｘ２方向上に並んでいる。
【００３５】
信号コンタクト対の信号端子部の延在する方向は交互に違えてある。即ち、第１番目の信号コンタクト対７０−１の信号端子部７１−１ｂ、７２−１ｂはＹ２方向に延在しており、第２番目の信号コンタクト対７０−２の信号端子部７１−２ｂ、７２−２ｂはＹ１方向に延在しており、第３番目の信号コンタクト対７０−３の信号端子部７１−３ｂ、７２−３ｂはＹ２方向に延在しており、第４番目の信号コンタクト対７０−４の信号端子部７１−４ｂ、７２−４ｂはＹ１方向に延在している。
【００３６】
第１番目の信号コンタクト対７０−１はＸ１−Ｘ２方向の両側から第１番目のグランドコンタクト部材８０−１と第２番目のグランドコンタクト部材８０−２とによって挟まれてシールドされている。第２番目の信号コンタクト対７０Ａ−２はＸ１−Ｘ２方向の両側から第２番目のグランドコンタクト部材８０−２と第３番目のグランドコンタクト部材８０−３とによって挟まれてシールドされている。第３番目の信号コンタクト対７０−３はＸ１−Ｘ２方向の両側から第３番目のグランドコンタクト部材８０−３と第４番目のグランドコンタクト部材８０−４とによって挟まれてシールドされている。第４番目の信号コンタクト対７０Ａ−４はＸ１−Ｘ２方向の両側から第４番目のグランドコンタクト部材８０−４と第５番目のグランドコンタクト部材８０−５とによって挟まれてシールドされている。
【００３７】
図１１はプリント回路基板９０Ａのうち上記の平衡伝送用ジャックコネクタ５０Ａが実装される部分のパターンを示す。パッドは平衡伝送用コネクタ５０Ａの信号端子部７１ｂ、７２ｂ及びグランド端子部８４、８５の配置に合わせて形成してある。第１の行９１には、グランドパッド１００、第１の信号パッド１０１、第２の信号パッド１０２、グランドパッド１０３、パッド二つ分あけてグランドパッド１０６、第１の信号パッド１０７、第２の信号パッド１０８、グランドパッド１０９、パッド二つ分あけてグランドパッド１１２が並んでいる。第２の行９２には、グランドパッド１２０、パッド二つ分あけてグランドパッド１２６、パッド二つ分あけてグランドパッド１２９、第１の信号パッド１３０、第２の信号パッド１３１、グランドパッド１３２が並んでいる。
【００３８】
１４１、１４２，１５１Ａ、１５２Ａ、１６１，１６２、１７１，１７２は信号用配線パターンである。信号用配線パターン１４１、１４２は夫々第１、第２の信号パッド１０１、１０２よりＹ２方向に、信号用配線パターン１５１Ａ、１５２Ａは夫々第１、第２の信号パッド１２４、１２５よりＹ１方向に、信号用配線パターン１６１、１６２は夫々第１、第２の信号パッド１０７、１０８よりＹ２方向に平行に延在して、広い部分１１５を利用して形成してあり、信号用配線パターン１７１、１７２は夫々第１、第２の信号パッド１３０、１３２よりＹ２方向に平行に延在して広い部分１１６を利用して形成してある。広い部分１１５，１１６が利用してあり、しかも広い部分１１５，１１６が分散して利用してあり、よって、信号用配線パターン１４１〜１７２の形成は容易である。
【００３９】
平衡伝送用ジャックコネクタ５０Ａは、Ｙ２側については、グランド端子部８４−１、信号端子部７２−１ｂ、７１−１ｂ、グランド端子部８４−２、信号端子部７２−３ｂ、７１−３ｂ、グランド端子部８４−４、グランド端子部８４−５等を対応するパッド１００．１０１、１０２，１０３、１０６、１０７、１０８、１０９、１１２等に半田付けされて、且つ、Ｙ１側については、グランド端子部８５−１、グランド端子部８５−２、信号端子部７２Ａ−２ｂ、７１Ａ−２ｂ、グランド端子部８５−３、グランド端子部８５−４、信号端子部７２Ａ−４ｂ、７１Ａ−４ｂ、グランド端子部８５−５等を対応するパッド１２０．１２３、１２４，１２５，１２６，１２９，１３０，１３１，１３２等に半田付けされて、図１１中二点鎖線で示すようにプリント回路基板９０Ａ上に垂直に立った姿勢で実装される。
【００４０】
【発明の効果】
以上説明したように、請求項１の発明によれば、絶縁材料製のハウジングに、第１、第２の信号コンタクト部材よりなる信号コンタクト対と、グランドコンタクト部材とが交互に配されて並んでおり、底面側に第１、第２の信号コンタクト部材の信号端子部及びグランドコンタクト部材のグランド端子部を有し、上面側にコネクタ接続口を有する構成の平衡伝送用コネクタであって、上記信号コンタクト対を構成する第１、第２の信号コンタクト部材の信号端子部が同じ方向に延在する構成としたものであるため、プリント回路基板のうちの平衡伝送用コネクタが実装される多数のパッドが並んでいる部分についてみると、第１の信号コンタクト部材の信号端子部と第２の信号コンタクト部材の信号端子部とが半田付けされる二つのパッドは一の列に隣り合う配置となり、この二つのパッドから延びる信号用配線パターンは多数のパッドが並んで形成してある部分の外側の広い領域を利用して余裕をもって形成することが出来る。
【００４１】
請求項２の発明は、絶縁材料製のハウジングに、第１、第２の信号コンタクト部材よりなる信号コンタクト対と、グランドコンタクト部材とが交互に配されて並んでおり、底面側に第１、第２の信号コンタクト部材の信号端子部及びグランドコンタクト部材のグランド端子部を有し、上面側にコネクタ接続口を有する構成の平衡伝送用コネクタであって、一つの上記信号コンタクト対を構成する第１、第２の信号コンタクト部材の信号端子部が同じ方向に延在し、別の上記信号コンタクト対を構成する第１、第２の信号コンタクト部材の信号端子部が上記信号端子部が延在する方向とは反対の方向に延在する構成としたものであるため、プリント回路基板のうちの平衡伝送用コネクタが実装される多数のパッドが並んでいる部分についてみると、一つの上記信号コンタクト対を構成する第１の信号コンタクト部材の信号端子部と第２の信号コンタクト部材の信号端子部とが半田付けされる二つのパッドは一つの列に隣り合う配置となり、この二つのパッドから延びる信号用配線パターンは一つの列の外側の広い領域を利用して余裕をもって形成することが可能となり、別の上記信号コンタクト対を構成する第１の信号コンタクト部材の信号端子部と第２の信号コンタクト部材の信号端子部とが半田付けされる二つのパッドは別の列に隣り合う配置となり、この二つのパッドから延びる信号用配線パターンは別の列の外側の広い領域を利用して余裕をもって形成することが可能となり、信号用配線パターンを一つの列より外側の領域と別の列より外側の領域とに分散して形成することが出来る。
【００４２】
請求項３の発明は、請求項１又は請求項２に記載の平衡伝送用コネクタにおいて、上記第１の信号コンタクト部材の信号端子部と第２の信号コンタクト部材の信号端子部とは、同じ長さをなるように屈曲されている部分を有する構成としたものであり、第１の信号コンタクト部材の端子部と第２の信号コンタクト部材の端子部とが同じ長さを有するため、第１の信号コンタクト部材の端子部と第２の信号コンタクト部材の端子部との部分についても理想的な平衡伝送を維持することが出来る。
【００４３】
請求項４の発明は、請求項１又は請求項２に記載の平衡伝送用コネクタにおいて、上記グランドコンタクト部材は、互いに反対方向に延在する二つのグランド端子部を有する構成としたものであり、グランドコンタクト部材は二つのグランド端子部を有し、二つのグランド端子部が互いに反対方向に延在するため、グランドコンタクト部材はその両側でグランドパッドと電気的に接続され、グランドコンタクト部材のグランド強化を図ることが出来る。
【図面の簡単な説明】
【図１】ライトアングルタイプの平衡伝送用ジャックコネクタを単純にストレートタイプに変更した場合を説明するための図である。
【図２】本発明の第１実施例になる平衡伝送用ジャックコネクタの斜視図である。
【図３】図２の平衡伝送用ジャックコネクタを底面側からみて、プリント回路基板と併せて示す図である。
【図４】信号コンタクト対を示す図である。
【図５】グランドコンタクト部材を示す図である。
【図６】図３に示す平衡伝送用ジャックコネクタにおける信号コンタクト対とグランドコンタクト部材との配列を示す図である。
【図７】図３中のプリント回路基板のうち平衡伝送用ジャックコネクタが実装される部分を拡大して示す図である。
【図８】本発明の第２実施例になる平衡伝送用ジャックコネクタの斜視図である。
【図９】図８の平衡伝送用ジャックコネクタを底面側からみて、プリント回路基板と併せて示す図である。
【図１０】図９に示す平衡伝送用ジャックコネクタにおける信号コンタクト対とグランドコンタクト部材との配列を示す図である。
【図１１】図９中のプリント回路基板のうち平衡伝送用ジャックコネクタが実装される部分を拡大して示す図である。
【符号の説明】
５０、５０Ａ  平衡伝送用ジャックコネクタ
５１  ハウジング
５２，５３  長辺方向面
５４，５５  短辺方向面
５６  底面
５７  上面
５８  コネクタ接続口
７０、７０−１、７０Ａ−２  信号コンタクト対
７１  第１の信号コンタクト部材
７１ａ  信号コンタクト部
７１ｂ  信号端子部
７１ｄ  階段形状部
７２  第２の信号コンタクト部材
７２ａ  信号コンタクト部
７２ｂ  信号端子部
７２ｄ  アーチ形状部
８０、８０−１  グランドコンタクト部材
８２、８３  グランドコンタクト部
８４、８５  グランド端子部
９０，９０Ａ  プリント回路基板
１００、１０３  グランドパッド
１０１、１０４  第１の信号パッド
１０２、１０５  第２の信号パッド
１４１、１４２，１５１、１５２、１５１Ａ、１５２Ａ  信号用配線パターン
【図１】
2004355820.tif 000003
【図２】
2004355820.tif 000004
【図３】
2004355820.tif 000005
【図４】
2004355820.tif 000006
【図５】
2004355820.tif 000007
【図６】
2004355820.tif 000008
【図７】
2004355820.tif 000009
【図８】
2004355820.tif 000010
【図９】
2004355820.tif 000011
【図１０】
2004355820.tif 000012
【図１１】
2004355820.tif 000013